(57)【要約】【課題】音声種別の設定を行った光ディスクと異なる光ディスクを装填した場合でも、過去に設定した音声種別を自動的に設定でき、利便性が向上する光ディスク装置を提供する。【解決手段】光ディスクに記録されたメニュー画面から再生用の音声言語および音声種別が設定される際に、その設定される音声言語および音声種別を記憶部に記憶させる制御部を備え、光ディスクが装填されると、前記制御部は、前記装填された光ディスクから音声言語コードと音声種別コードの組み合わせを取得し、前記取得した音声言語コードと音声種別コードの組み合わせの中に、前記記憶部に記憶された音声言語と音声種別の組み合わせに一致するものがあった場合、前記記憶部に記憶された音声言語と音声種別を再生用に設定する構成とした。【選択図】図１
2010250885.tif 000002
【特許請求の範囲】
【請求項１】
光ディスクに記録されたメニュー画面から再生用の音声言語および音声種別が設定される際に、その設定される音声言語および音声種別を記憶部に記憶させる制御部を備え、
光ディスクが装填されると、前記制御部は、前記装填された光ディスクから音声言語コードと音声種別コードの組み合わせを取得し、前記取得した音声言語コードと音声種別コードの組み合わせの中に、前記記憶部に記憶された音声言語と音声種別の組み合わせに一致するものがあった場合、前記記憶部に記憶された音声言語と音声種別を再生用に設定することを特徴とする光ディスク装置。
【請求項２】
前記取得した音声言語コードと音声種別コードの組み合わせには番号が付されており、
前記制御部は、前記取得した音声言語コードと音声種別コードの組み合わせの中に、前記記憶部に記憶された音声言語と音声種別の組み合わせに一致するものがなく、前記記憶部に記憶された音声言語と音声種別の組み合わせのうち音声言語のみが一致するものがあった場合は、前記記憶部に記憶された音声言語、および一致した音声言語コードに対応する音声種別コードのうち番号が最小のものを再生用に設定することを特徴とする請求項１に記載の光ディスク装置。
【請求項３】
前記取得した音声言語コードと音声種別コードの組み合わせには番号が付されており、
前記制御部は、前記取得した音声言語コードと音声種別コードの組み合わせの音声言語コード中に、前記記憶部に記憶された音声言語と一致するものがなかった場合は、番号が最小である音声言語コードおよび音声種別コードを再生用に設定することを特徴とする請求項１または請求項２に記載の光ディスク装置。
【請求項４】
光ディスク装置がＢｌｕ−ｒａｙ  Ｄｉｓｃプレーヤであることを特徴とする請求項１〜請求項３のいずれかに記載の光ディスク装置。
【発明の詳細な説明】
【技術分野】
【０００１】
本発明は、光ディスク装置に関する。
【背景技術】
【０００２】
光ディスクには、ＣＤ−ＤＡ、ＣＤ−ＲＯＭ、ビデオＣＤ、ＤＶＤ、ＢＤ（Blu-ray Disc）等、様々存在している。このうち、ＤＶＤやＢＤでは、光ディスク自体が持つメニューの操作により様々なパラメータを設定できるようになっている。このようなパラメータの一つに音声種別（音声フォーマット）があり、音声種別には例えば、Ｄｏｌｂｙ  Ｄｉｇｉｔａｌ  ＰｌｕｓやＤＴＳ−ＨＤ等が存在する。
【０００３】
従来、光ディスクを再生時に音声種別を設定し、その後、同じ光ディスクを光ディスク装置に装填した場合、過去に設定した音声種別を設定するためには再度ユーザが設定を行う必要があった。
【０００４】
そこで、特許文献１に次のような光ディスク装置が開示されている。光ディスクを光ディスク装置に装填してユーザが音声種別の設定を行うと、設定した音声種別が光ディスクのディスク情報と対応付けられてメモリに記憶される。その後、同じ光ディスクを光ディスク装置に装填すると、光ディスクからディスク情報が取得され、取得されたディスク情報はメモリに記憶されたディスク情報と一致するので、そのディスク情報に対応して記憶されている音声種別をディスク制御部に設定する。このような光ディスク装置によれば、同じ光ディスクを装填した場合に、過去に設定した音声種別が自動的に設定されるので、ユーザの手間を省くことができる。
【先行技術文献】
【特許文献】
【０００５】
【特許文献１】特開２００６−３１８６６号公報
【発明の概要】
【発明が解決しようとする課題】
【０００６】
しかし、上記特許文献１の光ディスク装置では、音声種別の設定を行った光ディスクと異なる光ディスクを装填した場合は、光ディスクから取得されたディスク情報がメモリに記憶されたディスク情報と一致しないので、音声種別をディスク制御部に設定することができず、やはりユーザが設定を行わなければならないという問題点があった。
【０００７】
上記問題点を鑑み、本発明は、音声種別の設定を行った光ディスクと異なる光ディスクを装填した場合でも、過去に設定した音声種別を自動的に設定でき、利便性が向上する光ディスク装置を提供することを目的とする。
【課題を解決するための手段】
【０００８】
上記目的を達成するために本発明の光ディスク装置は、光ディスクに記録されたメニュー画面から再生用の音声言語および音声種別が設定される際に、その設定される音声言語および音声種別を記憶部に記憶させる制御部を備え、
光ディスクが装填されると、前記制御部は、前記装填された光ディスクから音声言語コードと音声種別コードの組み合わせを取得し、前記取得した音声言語コードと音声種別コードの組み合わせの中に、前記記憶部に記憶された音声言語と音声種別の組み合わせに一致するものがあった場合、前記記憶部に記憶された音声言語と音声種別を再生用に設定する構成とした。
【０００９】
このような構成によれば、再生用に音声言語および音声種別を設定した光ディスクとは異なる光ディスクを装填した場合でも、過去に設定した音声言語および音声種別を再生用に自動的に設定できるので、ユーザの手間を省くことができ、利便性が向上する。
【００１０】
また、上記構成の光ディスク装置において、前記取得した音声言語コードと音声種別コードの組み合わせには番号が付されており、
前記制御部は、前記取得した音声言語コードと音声種別コードの組み合わせの中に、前記記憶部に記憶された音声言語と音声種別の組み合わせに一致するものがなく、前記記憶部に記憶された音声言語と音声種別の組み合わせのうち音声言語のみが一致するものがあった場合は、前記記憶部に記憶された音声言語、および一致した音声言語コードに対応する音声種別コードのうち番号が最小のものを再生用に設定する構成としてもよい。
【００１１】
このような構成によれば、過去に設定した音声言語には対応するが音声種別には対応していない光ディスクを装填した場合でも、音声言語については過去に設定した音声言語が再生用に自動的に設定され、音声種別については光ディスクに対応した音声種別が再生用に自動的に設定されるので、利便性が高い。
【００１２】
また、上記構成いずれかの構成の光ディスク装置において、前記取得した音声言語コードと音声種別コードの組み合わせには番号が付されており、
前記制御部は、前記取得した音声言語コードと音声種別コードの組み合わせの音声言語コード中に、前記記憶部に記憶された音声言語と一致するものがなかった場合は、番号が最小である音声言語コードおよび音声種別コードを再生用に設定する構成としてもよい。
【００１３】
このような構成によれば、過去に設定した音声言語に対応しない光ディスクを装填した場合でも、光ディスクに対応した音声言語および音声種別が再生用に自動的に設定されるので、利便性が高い。
【００１４】
また、上記いずれの構成の光ディスク装置は、Ｂｌｕ−ｒａｙ  Ｄｉｓｃプレーヤであるとよい。ＢＤでは音声言語が同じでも音声種別が異なるものに対応する場合が多々あるので、光ディスク装置としてはＢＤプレーヤとすることが好適である。
【発明の効果】
【００１５】
本発明の光ディスク装置によれば、音声種別の設定を行った光ディスクと異なる光ディスクを装填した場合でも、過去に設定した音声種別を自動的に設定でき、利便性が向上する。
【図面の簡単な説明】
【００１６】
【図１】本発明に係る光ディスク装置の一概略構成例を示す図である。
【図２】ＢＤ自体のメインメニューの表示例を示す図である。
【図３】ＢＤ自体の字幕設定メニューの表示例を示す図である。
【図４】ＢＤ自体の音声設定メニューの表示例を示す図である。
【図５】本発明に係る光ディスク装置の字幕言語、音声言語並びに音声種別自動設定動作に関するフローチャートである。
【図６】ＢＤの字幕言語コードの一例を示す図である。
【図７】ＢＤの音声言語コードと音声種別コードの組み合わせの一例を示す図である。
【発明を実施するための形態】
【００１７】
以下に本発明の実施形態を図面を参照して説明する。図１に、本発明に係る光ディスク装置の一概略構成例を示す。
【００１８】
図１に示す本発明に係る光ディスク装置は、ＢＤ（Blu-ray Disc）プレーヤ１００であって、ドライブ部１と、ＡＶデコーダ２と、制御部３と、ＯＳＤ（On Screen Display）部４と、合成部５と、オーディオ出力部６と、ビデオ出力部７と、リモコン受信部８と、不揮発性メモリ９とを備えている。オーディオ出力部６およびビデオ出力部７は、ＢＤプレーヤ１００外部のテレビ１０１に接続される。また、ＢＤプレーヤ１００は、リモコン送信機１０２により遠隔操作が可能となっている。
【００１９】
ドライブ部１は、ＢＤが装填され、装填されたＢＤから映像音声ストリームを読み出してＡＶデコーダ２に出力する。
【００２０】
ＡＶデコーダ２は、映像音声ストリームからビデオデータを分離抽出し、抽出されたビデオデータに対してデコードを行い、デコード後のビデオデータを合成部５に出力する。また、ＡＶデコーダ２は、制御部３から指示された言語の字幕データを映像音声ストリームから分離抽出し、抽出された字幕データに対してデコードを行い、デコード後の字幕データを合成部５に出力する。また、ＡＶデコーダ２は、制御部３から指示された言語、音声種別の音声データを映像音声ストリームから分離抽出し、抽出された音声データに対して音声種別に適合した方法でデコードを行い、デコード後の音声データをオーディオ出力部６に出力する。
【００２１】
オーディオ出力部６は、ＡＶデコーダ２からの音声データをアナログ音声信号に変換し、アナログ音声信号をテレビ１０１に出力する。これにより、テレビ１０１が有するスピーカより音声が発生する。
【００２２】
ＯＳＤ部４は、制御部３の指示により画像データを生成し、生成した画像データを合成部５に出力する。合成部５は、ＡＶデコーダ２からのビデオデータ、字幕データおよびＯＳＤ部４からの画像データを合成して合成データをビデオ出力部７に出力する。ビデオ出力部７は、合成データをアナログ映像信号に変換し、アナログ映像信号をテレビ１０１に出力する。これにより、テレビ１０１において字幕、ＯＳＤ画像を含めた映像が表示される。なお、合成部５は、ＡＶデコーダ２からのビデオデータのみ、ＯＳＤ部４からの画像データのみをビデオ出力部７に出力する場合もある。
【００２３】
制御部３は、不図示のＲＯＭに格納された制御プログラムを実行してＢＤプレーヤ１００の各部を制御する。リモコン受信部８は、リモコン送信機１０２からリモコン赤外線信号を受信し電気信号に変換し、その電気信号をさらにリモコンコードに変換して制御部３に送る。不揮発性メモリ９は、ＢＤプレーヤ１００の電源をオフにしても格納された情報が失われない記憶装置であり、各種設定情報等が格納される。
【００２４】
次に、このような構成である本発明に係る光ディスク装置におけるＢＤ自体のメニューを利用した再生環境設定について説明する。
【００２５】
ドライブ部１にＢＤを装填すると再生が開始され、ドライブ部１がＢＤからメニュー表示プログラムを読み出し制御部３に送り、制御部３がメニュー表示プログラムを取得する。そして、制御部３がメニュー表示プログラムを実行し、ＯＳＤ部４に画像データ生成を指示すると、テレビ１０１にメインメニューが表示される。
【００２６】
図２に、メインメニュー表示の一例を示す。ここで、「字幕設定」がリモコン送信機１０２の操作により選択されると、図３に示す字幕設定メニュー画面がテレビ１０１に表示される。ここで、「字幕なし」がリモコン送信機１０２の操作により選択されると、制御部３は、字幕言語設定情報として字幕なしを設定し、それと共に、字幕なしを示す字幕言語情報を不揮発性メモリ９に記憶させる。
【００２７】
また、「日本語」、「英語」、「フランス語」のいずれかがリモコン送信機１０２の操作により選択されると、制御部３は、字幕言語設定情報として選択された言語を設定し、それと共に、選択された言語を示す字幕言語情報を不揮発性メモリ９に記憶させる。図３のいずれかの項目が選択後、図２のメインメニュー画面に表示が戻る。
【００２８】
図２のメインメニュー表示において「音声設定」がリモコン送信機１０２の操作により選択されると、図４に示す音声設定メニュー画面がテレビ１０１に表示される。ここでは、音声言語と音声種別の組み合わせを選択可能となっており、いずれかの組み合わせがリモコン送信機１０２の操作により選択されると、制御部３は、音声言語設定情報として選択された言語を、音声種別設定情報として選択された音声種別を設定する。このとき、制御部３は、選択された言語を示す音声言語情報および選択された音声種別を示す音声種別情報を不揮発性メモリ９に記憶させる。図４のいずれかの項目が選択後、図２のメインメニュー画面に表示が戻る。
【００２９】
字幕設定、音声設定が完了後、図２のメインメニュー表示において「本編スタート」がリモコン送信機１０２の操作により選択されると、本編の再生が開始される。制御部３が字幕言語設定情報の言語をＡＶデコーダ２に指示することにより、ＡＶデコーダ２は、指示された言語の字幕データをドライブ部１からの映像音声ストリームより分離抽出しデコードするので、本編再生中、ユーザが選択した言語で字幕がテレビ１０１に表示される。なお、字幕言語設定情報が字幕なしである場合には、制御部３からの言語指示がないのでＡＶデコーダ２は字幕データの抽出を行わず、字幕は表示されない。
【００３０】
また、制御部３が音声言語設定情報の言語および音声種別設定情報の音声種別をＡＶデコーダ２に指示することにより、ＡＶデコーダ２は、指示された言語および音声種別の音声データをドライブ部１からの映像音声ストリームより分離抽出しデコードするので、本編再生中、ユーザが選択した言語、ユーザが選択した音声種別の音質でテレビ１０１が有するスピーカから音声が発生する。
【００３１】
次に、本発明に係る光ディスク装置の字幕言語、音声言語並びに音声種別自動設定動作に関して図５のフローチャートを参照して説明する。
【００３２】
ＢＤをドライブ部１に挿入し、ドライブ部１にＢＤが装填されると、図５のフローチャートが開始される。
【００３３】
まず、ステップＳ１で、ドライブ部１は、装填されたＢＤからディスク情報を読み取り、読み取ったディスク情報を制御部３に送り、制御部３は、ディスク情報を取得する。ディスク情報には、番号が付された字幕言語コード、および番号が付された音声言語コードと音声種別コードの組み合わせが含まれる。
【００３４】
字幕言語コードの一例を図６に、音声言語コードと音声種別コードの組み合わせの一例を図７に示す。図６のように、字幕言語コードには番号が付されている。また、図７のように、音声言語コードと音声種別コードの組み合わせにも番号が付されている。
【００３５】
次に、ステップＳ２で、制御部３は、不揮発性メモリ９に記憶された字幕言語情報が字幕なしであるか否かを判定し、字幕なしであった場合は（ステップＳ２のＹ）、ステップＳ４に進み、制御部３は、字幕言語設定情報として字幕なしを設定する。一方、字幕なしではなかった場合は（ステップＳ２のＮ）、ステップＳ３に進む。
【００３６】
ステップＳ３で、制御部３は、不揮発性メモリ９に記憶された字幕言語情報の言語と一致する字幕言語コードがあるか検索し、一致する字幕言語コードがあった場合は（ステップＳ３のＹ）、ステップＳ５に進み、制御部３は、字幕言語設定情報として不揮発性メモリ９に記憶された字幕言語情報の言語を設定する。一方、一致する字幕言語コードがなかった場合は（ステップＳ３のＮ）、ステップＳ６に進む。
【００３７】
ここで、ＢＤ自体のメニューではなく、ＢＤプレーヤ１００のメニューからも字幕言語を設定可能となっている。その設定情報は不揮発性メモリ９に記憶される。ステップＳ６で、制御部３は、不揮発性メモリ９に記憶されたこの設定情報の言語と一致する字幕言語コードがあるか検索し、一致する字幕言語コードがあった場合は（ステップＳ６のＹ）、ステップＳ７に進み、制御部３は、字幕言語設定情報として不揮発性メモリ９に記憶された設定情報の言語を設定する。一方、一致する字幕言語コードがなかった場合は（ステップＳ６のＮ）、ステップＳ８に進み、制御部３は、番号が最小の字幕言語コードの言語（図６の例であれば日本語）を字幕言語設定情報として設定する。
【００３８】
ステップＳ４、ステップＳ５、ステップＳ７、ステップＳ８の後、ステップＳ９に進む。ステップＳ９で、制御部３は、不揮発性メモリ９に記憶された音声言語情報の言語と一致する音声言語コードがあるか検索し、一致する音声言語コードがあった場合は（ステップＳ９のＹ）、ステップＳ１０に進む。ステップＳ１０で、制御部３は、不揮発性メモリ９に記憶された音声種別情報の音声種別と一致する音声種別コードが、先に一致した音声言語コードに対応する音声種別コードのうちにあるか検索し、もしあれば（ステップＳ１０のＹ）、ステップＳ１１に進む。ステップＳ１１で、制御部３は、音声言語設定情報として不揮発性メモリ９に記憶された音声言語情報の言語を、音声種別設定情報として不揮発性メモリ９に記憶された音声種別情報の音声種別を設定する。
【００３９】
また、ステップＳ１０で、一致する音声種別コードがなければ（ステップＳ１０のＮ）、ステップＳ１２に進む。ステップＳ１２で、制御部３は、音声言語設定情報として不揮発性メモリ９に記憶された音声言語情報の言語を、音声種別設定情報としては、先に一致した音声言語コードに対応する音声種別コードのうち番号が最小のものの音声種別を設定する（例えば、図７の例で、音声言語コードがフランス語に対応する音声種別コードであれば、番号３のＤｏｌｂｙ  Ｄｉｇｉｔａｌ  Ｐｌｕｓを設定）。
【００４０】
また、ステップＳ９で、一致する音声言語コードがなければ（ステップＳ９のＮ）、ステップＳ１３に進む。ステップＳ１３で、制御部３は、音声言語設定情報として番号が最小の音声言語コードの言語を、音声種別設定情報として番号が最小の音声種別コードの音声種別を設定する（図７の例であれば、英語、Ｄｏｌｂｙ  Ｄｉｇｉｔａｌ  Ｐｌｕｓを設定）。
【００４１】
ステップＳ１１、ステップＳ１２、ステップＳ１３の後、ＢＤの再生が開始される。途中、メニュー表示がされ本編再生が選択されると、本編の再生が開始される。字幕言語設定情報、音声言語設定情報および音声種別設定情報に基づき本編が再生される。なお、メニュー表示からユーザにより字幕設定や音声設定がされた場合は、制御部３は、字幕言語設定情報、音声言語設定情報および音声種別設定情報を上書きする。
【００４２】
このように、本発明に係る光ディスク装置によれば、ＢＤ自体のメニュー表示から音声言語、音声種別を再生用に設定した際に、設定した音声言語、音声種別が不揮発性メモリ９に記憶され、その後、先のＢＤとは異なるＢＤを装填した場合でも、そのＢＤの音声言語コードと音声種別コードの組み合わせの中に、不揮発性メモリ９に記憶された音声言語と音声種別の組み合わせに一致するものがあれば、不揮発性メモリ９に記憶された音声言語と音声種別とが再生用に設定される。即ち、異なるＢＤを装填した場合でも、過去に設定した音声言語、音声種別が自動的に設定されるので、ユーザの手間を省くことができ、利便性が向上する。
【００４３】
以上、本発明の実施形態について説明したが、実施形態は以上に限定されることはなく、本発明の趣旨の範囲内であれば様々な変更が可能である。例えば、字幕言語情報、音声言語情報、音声種別情報を記憶させる不揮発性メモリ９は、リムーバブルな記憶装置（ＳＤカード等）としても構わない。
【符号の説明】
【００４４】
１００  ＢＤプレーヤ
１０１  テレビ
１０２  リモコン送信機
１  ドライブ部
２  ＡＶデコーダ
３  制御部
４  ＯＳＤ部
５  合成部
６  オーディオ出力部
７  ビデオ出力部
８  リモコン受信部
９  不揮発性メモリ
【図１】
2010250885.tif 000003
【図２】
2010250885.tif 000004
【図３】
2010250885.tif 000005
【図４】
2010250885.tif 000006
【図５】
2010250885.tif 000007
【図６】
2010250885.tif 000008
【図７】
2010250885.tif 000009